(57)【特許請求の範囲】
【請求項１】
筐体と、
柔軟材料からなる弁体に気体を外部に放出する弁孔を有し、且つ前記弁孔に連続して筐体内に開口する窪みを有する内圧調整弁と、
を有し、
前記内圧調整弁は、前記筐体の内部圧力の方が外部圧力よりも低い場合であって、前記筐体の内部圧力と外部圧力との差が第二の所定の差以上の場合に前記筐体内に液体が浸入しないように閉じる、
ことを特徴とする電子機器。
【請求項２】
前記弁体は、前記弁孔を含んで外部に突出する突起部を有する
ことを特徴とする請求項１に記載の電子機器。
【請求項３】
前記内圧調整弁は、前記筐体の内部圧力が外部圧力より高い場合、前記筐体内の気体を外部に放出するように開くことを特徴とする請求項１または２に記載の電子機器。
【請求項４】
前記内圧調整弁は、前記筐体の内部圧力の方が外部圧力よりも高い場合であって、前記筐体の内部圧力と外部圧力との差が第一の所定の差以上の場合に前記筐体内の気体を外部に放出するように開くことを特徴とする請求項３に記載の電子機器。
【請求項５】
防水振動膜を有する防水マイクを備えることを特徴とする請求項１から４のいずれか一項に記載の電子機器。
【請求項６】
前記内圧調整弁は、
前記弁体を覆う弁ケースと、
防水リングと、を有し、
前記筐体に形成した組付け穴に、前記弁ケースが前記防水リングを介して取り付けられることを特徴とする請求項１から５のいずれか一項に記載の電子機器。
【請求項７】
前記内圧調整弁は、前記組付け穴からの前記弁ケースの脱落を防止する脱落防止部材を有し、
前記脱落防止部材は、前記弁ケースの外周に形成された溝に係合することを特徴とする請求項６に記載の電子機器。
【請求項８】
防水型の筐体に、
電子回路及び電池と、
無線通信部材と、
防水振動膜を有する防水マイクと、
柔軟材料からなる弁体に気体を外部に放出する弁孔を有し、且つ前記弁孔に連続して前記筐体内に開口する窪みを有する内圧調整弁と、
を有し、
前記内圧調整弁は、前記筐体の内部圧力の方が外部圧力よりも低い場合であって、前記筐体の内部圧力と外部圧力との差が第二の所定の差以上の場合に前記筐体内に液体が浸入しないように閉じる、
ことを特徴とするウェアラブル機器。
【請求項９】
柔軟材料からなる弁体に、前記一方側の気体を前記他方側に通す弁孔を有し、
前記弁体は、前記弁孔に連続して前記一方側に開口する窪みと、前記弁孔を含んで前記他方側に突出する突起と、
を有し、
前記弁体は、前記一方側の圧力が前記他方側の圧力より低い場合であって、前記一方側の圧力と前記他方側の圧力との差が第二の所定の差以上の場合に、前記他方側から前記一方側に液体が浸入しないように閉じ、前記一方側の圧力が前記他方側の圧力より高い場合であって、前記一方側の圧力と前記他方側の圧力との差が第一の所定の差以上の場合に、前記一方側の気体を前記他方側に通すように開く
することを特徴とする圧力調整弁。
【請求項１０】
柔軟材料から弁体を成形し、
前記弁体の中心部に連続して一方側に開口する窪みを成形し、
前記窪みに沿って針状部材を弁体の中心部に導入し、
前記弁体の中心部に孔開け加工することで弁孔を成形することを特徴とする圧力調整弁の作製方法。
【請求項１１】
筐体と、
前記筐体の内部圧力の方が外部圧力よりも高い場合であって、前記筐体の内部圧力と外部圧力との差が第一の所定の差以上の場合に前記筐体内の気体を外部に放出するように開く内圧調整弁と、
を有し、
前記内圧調整弁は、前記筐体の内部圧力の方が外部圧力よりも低い場合であって、前記筐体の内部圧力と外部圧力との差が第二の所定の差以上の場合に前記筐体内に液体が浸入しないように閉じる、
ことを特徴とする電子機器。
【発明の詳細な説明】
【技術分野】
【０００１】
本発明は、電子機器、及びウェアラブル機器と、圧力調整弁と、その圧力調整弁の作製方法に関する。
【背景技術】
【０００２】
ボタンを押すと内圧が抜ける内圧調整弁が付いた時計は公知である（例えば特許文献１・２参照）。
また、情報通信機能を具備する時計、所謂スマートウォッチも公知となっている（例えば特許文献３参照）。
【先行技術文献】
【特許文献】
【０００３】
【特許文献１】特開平５−１７２９５６号公報
【特許文献２】特開平６−２７２５４号公報
【特許文献３】特開２００６−１０１５０５号公報
【発明の概要】
【発明が解決しようとする課題】
【０００４】
スマートウォッチなどのウェアラブルデバイスにおいて、筐体の気密性を高めて防水型にすると、集積回路や電池やセンサなどの熱源を内蔵することによる内部空気膨張と、電池から発生するガスなどが要因となって内圧が高くなる場合がある。
また、ウェアラブルデバイスを身体に装着した状態で標高の高い山へ登山した場合には、外圧が下がるので、内圧が高くなる恐れがある。
それに対処して、従来のようなボタンを押すと内圧が抜ける内圧調整弁を付けておき、内圧が高くなり過ぎる前に、ボタンを押して内圧を抜ければよいが、ボタン押しを忘れたり遅れたりすると、機能部品が破損する等の問題が生じる。
【０００５】
本発明の課題は、ユーザーによる操作無しで、筐体の内部圧力が外部圧力より高くなっても破損を防止する電子機器、及びウェアラブル機器と、圧力調整弁と、その圧力調整弁の作製方法を提供することである。
【課題を解決するための手段】
【０００６】
以上の課題を解決するため、本発明は、
筐体と、
柔軟材料からなる弁体に気体を外部に放出する弁孔を有し、且つ前記弁孔に連続して筐体内に開口する窪みを有する内圧調整弁と、
を有し、
前記内圧調整弁は、前記筐体の内部圧力の方が外部圧力よりも低い場合であって、前記筐体の内部圧力と外部圧力との差が第二の所定の差以上の場合に前記筐体内に液体が浸入しないように閉じる、
ことを特徴とする。
【発明の効果】
【０００７】
本発明によれば、ユーザーによる操作無しで、筐体の内部圧力が外部圧力より高くなっても破損を防止する電子機器、及びウェアラブル機器と、圧力調整弁と、その圧力調整弁の作製方法を提供することができる。
【図面の簡単な説明】
【０００８】
【図１】本発明を適用した電子機器の一実施形態の構成を示すもので、ウェアラブル端末の概略平面図である。
【図２】図１の矢印Ａ−Ａ線に沿った拡大断面図で、防水マイクの構造を示した図である。
【図３】図１の矢印Ｂ−Ｂ線に沿った拡大断面図で、内圧調整弁の構造を示した図である。
【図４】図３の内圧調整弁において、外部の圧力が筐体内部の圧力よりも高い状態を示した図である。
【図５】図２の防水マイクにおいて、外部の圧力が筐体内部の圧力よりも高い状態を示した図である。
【図６】図３の内圧調整弁において、筐体内部の圧力が外部圧力より１気圧以上高い状態を示した図である。
【図７】図２の防水マイクにおいて、筐体内部の圧力が外部圧力より１気圧以上高い状態を示した図である。
【発明を実施するための形態】
【０００９】
以下、図を参照して本発明を実施するための形態を詳細に説明する。
【００１０】
（実施形態）
図１は本発明を適用した電子機器の一実施形態の概略構成としてウェアラブル機器（スマートウォッチ）を示すもので、図２はその矢印Ａ−Ａ線に沿った断面、図３は矢印Ｂ−Ｂ線に沿った断面をそれぞれ拡大して示したもので、１は筐体、２は防水マイクユニット、３は内圧調整弁ユニットである。
【００１１】
図示のように、腕時計型の筐体１の外周には、時計の６時方向に防水マイクユニット２が取り付けられて、時計の８時方向に形成した切欠き部１ａの奥に内圧調整弁ユニット３が取り付けられている。
筐体１には、表示部１１が設けられて、図示しない電子回路及びリチウムイオン電池と無線通信部材等が内蔵されている。
【００１２】
防水マイクユニット２は、図２に示すように、マイク素子２１が筐体１に形成した組付け穴１２に係合している。マイク素子２１は、図示しない回路基板に接続したフレキシブル基板２２の先端部に実装されている。そのフレキシブル基板２２先端部には、マイク素子２１から発せられる音を通すための小孔２２ａが形成されている。
マイク素子２１上のフレキシブル基板２２先端部上には、防水振動膜２３の変形を抑止する板状の変形抑止部材２４が重ねられている。なお、防水振動膜は、たとえば剛性が高く、吸水性が低く、通音性良く振動を伝えられる膜によって形成され、水は通さない構造となっている。
この変形抑止部材２４が筐体１の組付け穴１２に係合している。この変形抑止部材２４には、マイク素子２１から発せられる音を通すための小孔２４ａが形成されている。
【００１３】
そして、変形抑止部材２４の上には、薄板状のスペーサ２５を介して防水振動膜２３が重ねられている。この防水振動膜２３は、スペーサ２５の中央部に形成した開口２５ａにより変形抑止部材２４に対し充分なクリアランスをもって取り付けられている。
さらに、防水振動膜２３の上に防水部材２６が重ねられている。この防水部材２６は中央部が開口２６ａする環状板状のガスケットで、防水振動膜２３の周囲と筐体１の両方に掛かるように取り付けられて、防水振動膜２３の中央部が防水部材２６の開口２６ａに位置している。
【００１４】
そして、防水部材２６の上に金属板による外装部材２７が重ねられている。この外装部材２７は、中央にスリット状の放音孔２７ａが形成されて、ネジにより２８筐体１に取り付けられている。この外装部材２７により、防水部材２６は圧縮されて、筐体１と防水マイクユニット２との間の防水性が保たれている。
【００１５】
内圧調整弁ユニット３は、図３に示すように、柔軟なゴム材料からなる略円柱状の弁体３１の中心部に貫通する極小の弁孔３１ａを有している。なお、ゴム材料が硬すぎると、筐体内から空気が抜け難くなるので、好適に内圧が抜ける程度の硬さのゴム材料が選択されている。
また、ゴム材料は時間が経つにつれて、軟化する等の物性変化が生じる又は極小の弁孔３１aが密着してしまい、極小の弁孔３１aから空気が抜け難くなってしまうことがある。そのため、このゴム材料にオイルを含ませて、時間を経ても好適に空気が抜けるようになっている。
そして、弁体３１の中心部には、極小の弁孔３１ａの内端に連続して筐体１内に開口する先細り形状の窪み３１ｂが形成されるとともに、極小の弁孔３１ａの外端を含んで外部にドーム形状に突出する突起３１ｃが形成されている。
この弁体３１が、金属製で略円筒状の弁ケース３２に取り付けられている。
なお、弁ケース３２の略円柱状部の最大外径は、例えば５〜６ｍｍ程度で、弁体３１の極小の弁孔３１ａの長さは、例えば０．４〜０．５ｍｍ程度である。
【００１６】
ここで、弁体３１及び弁ケース３２からなる内圧調整弁の作製方法について説明する。
【００１７】
まず、図示しない金型内に弁ケース３２をセットしてから、柔軟なゴム材料を注入して加硫成形することにより、弁体３１を弁ケース３２内に一体成形する。
これにより、弁体３１と弁ケース３２間の防水性が確保されている。また、筐体１の組付け穴１３に対する内圧調整弁の組付け性も良好となる。
【００１８】
次に、その弁ケース３２と一体成形された弁体３１の中心部に、図示しない極細のピン（針状部材）を挿入して貫通させることで、極小の弁孔３１ａを孔開け加工する。なお、図３に示すように、この弁体３１には、当該弁体３１の内側の中心部を先端とした先細り形状の窪み３１ｂが形成される。極細のピンを挿入する際に、この窪み３１ｂに沿って、ピンが弁体３１の中心部に挿入されるので、簡単に極小の弁孔３１ａを弁体３１の中心部に孔開け加工することができる。
このように、弁体３１に極小の弁孔３１ａを容易に後加工することができる。
【００１９】
そして、図３に示すように、弁ケース３２が筐体１に形成した組付け穴１３に取り付けられている。すなわち、弁ケース３２の外周に形成された溝３２ａに防水リングであるＯリング３３が係合している。このＯリング３３により筐体１の組付け穴１３と弁ケース３２との間が防水されている。
また、弁ケース３２の端部外周に形成された溝３２ｂに欠円状のＥリングによる脱落防止部材３４が係合している。
【００２０】
以上の防水マイクユニット２及び内圧調整弁ユニット３を時計型の筐体１に備える防水型ウェアラブル機器において、防水マイクユニット２が図示しないカバーで覆われるとともに、内圧調整弁ユニット３を含む切欠き部１ａは、気体抜け用孔部を有するごみ侵入防止カバー３５で覆われている。
そして、筐体１を左手首に装着した場合、時計の６時方向に防水マイクユニット２が位置して、時計の８時方向の切欠き部１ａの奥に内圧調整弁ユニット３が位置しているので、防水マイクユニット２及び内圧調整弁ユニット３ともに傷付け難くて保護される。
【００２１】
次に、内圧調整弁ユニット３の作用を説明する。
【００２２】
まず、筐体１の内部圧力が外部圧力より低くなる、例えば１気圧低くなると、内圧調整弁ユニット３において、図４に示すように、突起３１ｃが弁体３１の外部に向いてドーム状に形成されているため、突起３１ｃが存在しない場合と比べて弁体３１の外部に向いた突起３１ｃを含むその周辺部が外部圧力によって内部に押し込まれる方向に弾性変形し、締め込み力により極小の弁孔３１ａを確実に塞いで外部からの液体の浸入を防ぎ、防水性及び気密性を良好に保つことができる。
なお、弁体３１は、例えば、５気圧以上の外部圧力に対応可能である。
【００２３】
その際、防水マイクユニット２においては、図５に示すように、防水振動膜２３が外部圧力により内側に向かって弾性変形するが、変形抑止部材２４によって防水振動膜２３の塑性変形及び破断を防ぐことができる。
このような、外圧上昇時には、防水振動膜２３は変形抑止部材２４により弾性変形を抑止されながら振動し、マイク素子２１から発せられる音を伝達して外部に放出することができる。
【００２４】
このように、内圧調整弁ユニット３は、筐体１の内部圧力が外部圧力より低い場合に、外部から筐体１内に液体が浸入しないように閉じる。
また、内圧調整弁ユニット３は、筐体１の内部圧力が外部圧力より低い場合であって、筐体１の内部圧力と外部圧力との差が所定（１気圧）（第二の所定の差）よりも大きい場合に、外部から筐体１内に液体が浸入しないように閉じる。
【００２５】
また、筐体１内の電子回路の発熱、リチウムイオン電池の膨張や気体の発生などによって、筐体１の内部圧力が外部圧力より高くなる、例えば１気圧以上高くなると、内圧調整弁ユニット３において、図６に示すように、弁体３１の内部側に開口する先細り形状の窪み３１ｂに内部圧力によって押し開く力が生じる。
従って、極小の弁孔３１ａ及び突起３１ｃが押し広げられて、その極小の弁孔３１ａから内部の圧力（気体）を外部に排出することができる。
なお、この弁体３１の内部側に開口する先細り形状の窪み３１ｂが存在するために、この窪み３１ｂがない場合に比べてより好適に、内部圧力により先細り形状の窪み３１ｂを押し開く力が生じて、極小の弁孔３１ａを押し開くことになる。
【００２６】
その際、防水マイクユニット２においては、図７に示すように、防水振動膜２３が内部圧力によって防水部材２６中央部の開口２６ａから外側に向かって膨らむように弾性変形するが、前述した内部調整弁ユニット３の働きによって防水振動膜２３には外部圧力より１気圧以上高い圧力がかからず、防水振動膜２３の破断を防ぐことができる。
このような、内圧上昇時には、防水振動膜２３は他の部材と干渉せずに振動し、マイク素子２１から発せられる音を伝達して外部に放出することができる。
【００２７】
このように、内圧調整弁ユニット３は、筐体１の内部圧力の方が外部圧力よりも高い場合であって、筐体１の内部圧力と外部圧力との差が所定（１気圧）（第一の所定の差）よりも大きい場合に筐体１内の気体を外部に放出するように開く。
【００２８】
尚、突起３１ｃの突出する方向における長さは、筐体内から空気が抜ける際の内外圧差と筐体外から液体が浸入する際の内外圧差の安定性に関係している。この突起３１ｃの長さが長すぎると時間が経つにつれて、筐体内から空気が抜ける際の内外圧差及び液体が浸入する際の内外圧差が変化してしまい、内圧調整弁ユニット３が好適に作動しなくなってしまうことがある。そのため突起３１ｃの長さは、弁体３１の大きさやゴム材料の硬さに基づいて適した長さにする必要がある。本実施形態では、突起３１ｃの長さは、０．４〜０．８ｍｍ程度に設定されている。
【００２９】
以上のように、防水振動膜２３付きの防水マイクユニット２を備える防水型ウェアラブル機器において、自動的な内圧調整機能を具備する内圧調整弁ユニット３を備えることで、筐体１の内部圧力が外部圧力より１気圧以上高くなる環境でも防水振動膜２３付き防水マイクユニット２の使用が可能になる。
また、リチウムイオン電池を搭載する防水型ウェアラブル機器において、電池の膨張や気体の発生などによる部品の破損を未然に防止することができる。
【００３０】
なお、本実施形態の内圧調整弁ユニット３は、筐体１の内部圧力が外部圧力より低い場合であって、筐体１の内部圧力と外部圧力との差が１気圧よりも大きい場合に、外部から筐体１内に液体が浸入しないように閉じて、筐体１の内部圧力の方が外部圧力よりも高い場合であって、筐体１の内部圧力と外部圧力との差が１気圧よりも大きい場合に筐体１内の気体を外部に放出するように開くような構成になっているが、それに限らず、外部から液体の浸入を防ぐ際と、内部から気体を排出する際とにどのくらい内部圧力と外部圧力との差が生じれば良いかについては、ユーザが自由に設定して内圧調整弁ユニット３を設計してもよい。
【００３１】
なお、筐体１の内部圧力が外部圧力とつりあっている状態の場合又は、筐体１の内部圧力が外部圧力より低い状態であって内部圧力と外部圧力との差が第二の所定の差よりも小さい場合又は、筐体１の内部圧力が外部圧力よりも高い場合であって、内部圧力と外部圧力との差が第一の所定の差よりも小さい場合では、弁体３１の弁孔３１ａは、ゴムの締め込み力により、液体が筐体１内に浸入しないよう確実に塞いで外部からの液体の浸入を防ぐように、弁体３１が設定されている。また、ごみ侵入防止カバー３５の孔部を塞ぐように、空気を通すが水は通さないシート部材をカバー部に設置してもよい。
【００３２】
以上、実施形態の防水型ウェアラブル機器によれば、自動的な内圧調整機能を具備する内圧調整弁ユニット３を備えるため、ユーザーによる操作無しで、筐体１の内部圧力が外部圧力より１気圧以上高くなっても破損を防止することができる。
【００３３】
なお、本実施形態では、内圧調整弁ユニット３は外部からの液体の浸入を防ぐように設計されているが、この内圧調整弁ユニット３を外部からの気体の浸入も防ぐように弁体３１を形成してもよい。
【００３４】
また、内圧調整弁ユニット３により、筐体１内の圧力は平常状況下での気圧（例えば、１気圧）等の所定の気圧になるように、外部の気体を筐体内部に入れる又は排出するような構成にしてもよい。
【００３５】
また、本実施形態では、筐体１の内部圧力が外部圧力に対し１気圧低くなると外部からの液体の浸入を防ぎ、筐体１の内部圧力が外部圧力に対し１気圧以上高くなると内部から気体を排出する構成となっているが、それに限らず、外部圧力が筐体１の内部圧力よりも上昇した場合、例えば筐体１の内部圧力が外部圧力と比べて１．１気圧低下した場合に内圧調整弁ユニット３は、外部からの液体の浸入を防ぎ、また、例えば筐体１の内部圧力が外部圧力と比べて１．２気圧以上高くなった場合に内圧調整弁ユニット３は、内部から気体を排出するようにしてもよい。もちろん、これら外部から液体の浸入を防ぐ際と、内部から気体を排出する際とにどのくらい内部圧力と外部圧力との差が生じれば良いかについては、ユーザーが自由に設定して内圧調整弁ユニット３を設計してもよい。
【００３６】
（変形例）
以上の実施形態においては、例えばスマートウォッチなどの時計型のウェアラブル機器としたが、本発明はこれに限定されるものではなく、携帯電話など他の情報機器等の電子機器であってもよい。
また、実施形態では、防水マイクユニットと内部調整弁ユニットとしたが、ユニット化したものでなくてもよく、要は防水マイクと内部調整弁を備えればよい。
さらに、筐体や弁体の形状、防水マイクや内部調整弁の位置等も任意であり、その他、防水マイクの具体的な細部構造等についても適宜に変更可能であることは勿論である。
【００３７】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通りである。
〔付記〕
＜請求項１＞  
筐体と、
柔軟材料からなる弁体に気体を外部に放出する弁孔を有し、且つ前記弁孔に連続して筐体内に開口する窪みを有する内圧調整弁と、
を有することを特徴とする電子機器。
＜請求項２＞
前記弁体は、当該弁体の外面の一部に前記弁孔を含んで外部に突出する突起部を有することを特徴とする請求項１に記載の電子機器。
＜請求項３＞
前記内圧調整弁は、前記筐体の内部圧力が外部圧力より高い場合、前記筐体内の気体を外部に放出するように開くことを特徴とする請求項１または２に記載の電子機器。
＜請求項４＞
前記内圧調整弁は、前記筐体の内部圧力の方が外部圧力よりも高い場合であって、前記筐体の内部圧力と外部圧力との差が第一の所定の差よりも大きい場合に前記筐体内の気体を外部に放出するように開くことを特徴とする請求項３に記載の電子機器。
＜請求項５＞
前記内圧調整弁は、前記筐体の内部圧力が外部圧力より低い場合、外部から前記筐体内に液体が浸入しないように閉じることを特徴とする請求項１から４のいずれか一項に記載の電子機器。
＜請求項６＞
前記内圧調整弁は、前記筐体の内部圧力の方が外部圧力よりも低い場合であって、前記筐体の内部圧力と外部圧力との差が第二の所定の差よりも大きい場合に前記筐体内に液体が浸入しないように閉じることを特徴とする請求項５に記載の電子機器。
＜請求項７＞
防水振動膜を有する防水マイクを備えることを特徴とする請求項１から６のいずれか一項に記載の電子機器。
＜請求項８＞  
防水型の筐体に、
電子回路及び電池と、
無線通信部材と、
防水振動膜を有する防水マイクと、
柔軟材料からなる弁体に気体を外部に放出する弁孔を有し、且つ前記弁孔に連続して前記筐体内に開口する窪みを有する内圧調整弁と、
を有することを特徴とするウェアラブル機器。
＜請求項９＞
柔軟材料からなる弁体に、一方側の気体を他方側に通す弁孔を有し、
前記弁体には、前記弁孔に連続して前記一方側に開口する窪みが形成されることを特徴とする圧力調整弁。
＜請求項１０＞
前記弁体には、前記弁孔を含んで前記他方側に突出する突起が形成されることを特徴とする請求項９に記載の圧力調整弁。
＜請求項１１＞
前記弁体は、一方側の圧力が他方側の圧力より低くなると、前記他方側から前記一方側に液体が浸入しないように閉じ、前記一方側の圧力が前記他方側の圧力より高くなると、前記一方側の気体を前記他方側に通すように開くことを特徴とする請求項９または１０に記載の圧力調整弁。
＜請求項１２＞
前記弁体は、前記一方側の圧力が前記他方側の圧力より低い場合であって、前記一方側の圧力と前記他方側の圧力との差が第二の所定の差よりも大きい場合に、前記他方側から前記一方側に液体が浸入しないように閉じ、前記一方側の圧力が前記他方側の圧力より高い場合であって、前記一方側の圧力と前記他方側の圧力との差が第一の所定の差よりも大きい場合に、前記一方側の気体を前記他方側に通すように開くことを特徴とする請求項９から１１のいずれか一項に記載の圧力調整弁。
＜請求項１３＞
柔軟材料から弁体を成形し、
前記弁体の中心部に連続して一方側に開口する窪みを成形し、
前記窪みに沿って針状部材を弁体の中心部に導入し、
前記弁体の中心部に孔開け加工することで弁孔を成形することを特徴とする圧力調整弁の作製方法。
＜請求項１４＞
筐体と、
前記筐体の内部圧力の方が外部圧力よりも高い場合であって、前記筐体の内部圧力と外部圧力との差が第一の所定の差よりも大きい場合に前記筐体内の気体を外部に放出するように開く内圧調整弁と、
を有することを特徴とする電子機器。
＜請求項１５＞
前記内圧調整弁は、前記筐体の内部圧力が外部圧力より低い場合、外部から前記筐体内に液体が浸入しないように閉じることを特徴とする請求項１４に記載の電子機器。
＜請求項１６＞
前記内圧調整弁は、前記筐体の内部圧力の方が外部圧力よりも低い場合であって、前記筐体の内部圧力と外部圧力との差が第二の所定の差よりも大きい場合に前記筐体内に液体が浸入しないように閉じることを特徴とする請求項１５に記載の電子機器。
【符号の説明】
【００３８】
１  筐体
１ａ  切欠き部
１１  表示部
１２  組付け穴
１３  組付け穴
２  防水マイク
２１  マイク素子
２２  フレキシブル基板
２２ａ  小孔
２３  防水振動膜
２４  変形抑止部材
２４ａ  小孔
２５  スペーサ
２５ａ  開口
２６  防水部材
２６ａ  開口
２７  外装部材
２７ａ  放音孔
２８  ネジ
３  内圧調整弁（圧力調整弁）
３１  弁体
３１ａ  極小の弁孔
３１ｂ  窪み
３１ｃ  突起
３２  弁ケース
３２ａ  溝
３２ｂ  溝
３３  防水リング
３４  脱落防止部材
３５  ごみ侵入防止カバー
【図１】
0006520828.tif 000002
【図２】
0006520828.tif 000003
【図３】
0006520828.tif 000004
【図４】
0006520828.tif 000005
【図５】
0006520828.tif 000006
【図６】
0006520828.tif 000007
【図７】
0006520828.tif 000008